【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】
光通信ネットワークのための第１のノードであって、マルチプレクサおよびデマルチプレクサの少なくとも１つを含む回路を有する前記第1のノードにおいて、
（Ａ）  前記回路が、マルチプレクサを含むとき、
（１）  前記マルチプレクサは、２つ以上の到来電気信号を１つの出発電気信号に結合するように構成され、
（ａ）  少なくとも１つの到来光信号は、第１のデータレートにおける第１のフレームフォーマットを有し、
（ｂ）  少なくとも１つの他の到来電気信号は、前記第１のデータレートより大きい第２のデータレートにおける第２のフレームフォーマットを有し、
（ｃ）  前記出発電気信号は、前記第２のデータレートより大きい第３のデータレートにおける第３のフレームフォーマットを有し、
（２）  前記回路は、前記出発電気信号を、前記第３のフレームフォーマットを有する出発光信号に変換するように構成された電気光コンバータをさらに含み、
（Ｂ）  前記回路がデマルチプレクサを含む場合、
（１）  前記デマルチプレクサは、第３のフレームフォーマットを有する到来電気信号を、２つ以上の出発電気信号に分割するように構成されており、
（ａ）  前記到来電気信号は、第３のデータレートにおける第３のフレームフォーマットを有し、
（ｂ）  少なくとも１つの出発電気信号は、第１のデータレートにおける第１のフレームフォーマットを有し、
（ｃ）  少なくとも１つの他の出発電気信号は、第２のデータレートにおける第２のフレームフォーマットを有し、
（２）  前記回路は、第３のフレームフォーマットを有する到来光信号を、第３のフレームフォーマットを有する到来電気信号に変換するように構成された光電気コンバータをさらに含み、
前記第１のノードは、自動信号プロビジョニングを実行するように構成されており、前記信号プロビジョニングは、
（ａ）  前記第１または第２のデータレートにおける新しい信号の追加、
（ｂ）  前記第１または第２のデータレートにおける現存する信号の削除、
（ｃ）  現存する信号の前記第１のデータレートから前記第２のデータレートへのレートアップグレーディング、及び
（ｄ）  現存する信号の前記第２のデータレートから前記第１のデータレートへのレートダウングレーディングのうちの少なくとも１つを含み、
前記信号プロビジョニングが、前記第2のデータレートにおける新しい信号の追加または現存する信号の前記第1のデータレートから前記第2のデータレートへのレートアップグレーティングに対応する場合、
前記第1のノードは、前記新しいまたはレートアップグレードされた信号を適合するために前記第3のフレームフォーマット中で１つ以上の他の現存する信号を自動的に再マップするように構成される
ことを特徴とするノード。
【請求項２】
前記回路は、単一回路基板上に両方が具現化されたマルチプレクサおよびデマルチプレクサを含む
ことを特徴とする請求項１記載のノード。
【請求項３】
前記単一の回路基板が、アド／ドロップ構成またはドロップ／コンティニュー構成のいずれかに対して構成されることができ、
アド／ドロップ構成に対して構成されるとき、前記マルチプレクサおよびデマルチプレクサは、互いに独立に動作し、
ドロップ／コンティニュー構成に対して構成されるとき、前記デマルチプレクサは、１つ以上の出発電気第１／第２データレート信号をドロップおよびコンティニューすることができ、前記回路は、前記第３のフレームフォーマットにおける前記到来電気信号からの全ての電気第１／第２データレート信号を、第３のフレームフォーマットにおける出発電気信号に結合するために、前記マルチプレクサに送るように構成されたクロスコネクトをさらに含む
ことを特徴とする請求項２記載のノード。
【請求項４】
前記第１のデータレートはＯＣ３データレートであり、前記第１のフレームフォーマットはＯＣ３フレームフォーマットであり、
前記第２のデータレートは、ＯＣ１２データレートであり、前記第２のフレームフォーマットはＯＣ１２フレームフォーマットであり、
前記第３のデータレートはＯＣ４８データレートであり、前記第３のフレームフォーマットはＯＣ４８フレームフォーマットである
ことを特徴とする請求項１記載のノード。
【請求項５】
前記マルチプレクサは、８個までの異なる到来ＯＣ３／ＯＣ１２レート電気信号を単一の出発ＯＣ４８レート電気信号に結合することができ、
前記デマルチプレクサは、単一の到来ＯＣ４８レート電気信号を、８個までの異なる出発ＯＣ３／ＯＣ１２レート電気信号に分割することができる
ことを特徴とする請求項４記載のノード。
【請求項６】
前記信号プロビジョニングの間に、前記第１のノードは、第２のノードにおける信号プロビジョニングを自動的にイニシエートするために、対応する第２のノードと自動的に通信する
ことを特徴とする請求項１記載のノード。
【請求項７】
前記信号プロビジョニングに対応する各マップ変更に対して、
（１）  前記第１のノードは、オリジナルマップメッセージを前記第２のノードに送信し、
（２）  前記オリジナルマップメッセージの受信により、前記第２のノードは、エコーされたマップメッセージを、前記第１のノードに送信して戻し、
（３）  前記エコーされたマップメッセージの受信により、前記第１のノードは、前記受信されたエコーされたマップメッセージを前記オリジナルマップメッセージと比較し、前記受信されたエコーされたマップメッセージとオリジナルのマップメッセージが一致する場合、（ｉ）前記第１のノードは、実行マップメッセージを前記第２のノードに送信し、（ｉｉ）さらに、前記オリジナルマップメッセージが前記第３のフレームフォーマット中の新しい位置に古い位置から現存する信号を再マップすることに対応する移動マップメッセージである場合、前記第１のノードは、前記第３のフレームフォーマット中の古い位置および新しい位置の両方における現存する信号のダブルキャスティングを示し、
（４）  前記実行マップメッセージの受信により、前記第２のノードは、前記オリジナルマップメッセージに基づいてそのマップを変更し、肯定的アクノレッジマップ実行メッセージを前記第１のノードに送信し、
（５）  肯定的なアクノレッジマップ実行メッセージの受信により、前記第１のノードは、前記オリジナルマップメッセージに基づいてそのマップの変更を完了し、前記オリジナルマップメッセージが、移動マップメッセージで合った場合、前記第３のフレームフォーマット中の古い位置における現存する信号の送信を終了する
ことを特徴とする請求項６記載のノード。
【請求項８】
前記回路がマルチプレクサを含むとき、前記回路は、第３のフレームフォーマットの出発光信号を、第３のフレームフォーマットの出発光信号の２つのコピーに分割し、対応する第２のノードにおける保護スイッチングを可能にするスプリッタをさらに含み、
前記回路がデマルチプレクサを含むとき、前記回路は、
各々が、第３のフレームフォーマットの到来光信号の異なるコピーを受信し、第３のフレームフォーマットの到来電気信号の異なるコピーに変換する２個の光電気コンバータと、
第３のフレームフォーマットの到来電気信号の２つの異なるコピーについての保護スイッチングを実行し、前記デマルチプレクサによる処理のためのワーキング到来電気信号を選択するように構成されたセレクタとを含む
ことを特徴とする請求項１記載のノード。